(57)【要約】【課題】  地下水を利用する地下埋設型融雪槽において、地下水の供給量が少ない場合、融雪効率は極端に悪くなるが、該融雪槽内に水があれば、一般家庭用として構造がシンプルで  ランニングコストが安く、メンテナンスも容易な融雪槽として利用できるようにすることを目的とする。【解決手段】  地下水利用地下埋設型融雪槽１において融雪槽内に水がある場合、融雪槽外にエアーコンプレッサー１１を備えエアーホース１３で保温対策をした保護管１２内を通り、該融雪槽内の底部中央の圧縮空気吐出管１４に導き、水中に圧縮空気を吐出し、これにより水中に激しい対流、撹拌、水面の上下運動などを生じさせて雪や雪塊の溶解を促進して短時間に効率のよい融雪ができる。【選択図】図１
0003123081.tif 000002
【実用新案登録請求の範囲】
【請求項１】
地中に埋設される有底の槽の上縁部でヒンジ結合して、略垂直状態まで開閉可能な蓋と着脱自在の転落防止の鉄筋格子枠を備え、該槽版を削孔して地下水汲上げ管を打設し、該地下水汲上げ管に接続する吸上げポンプを槽内に設置して該吸上げポンプの吐出口から地下水供給管を立設し、該地下水供給管の先端部に該槽内の上方部に位置する長手方向に複数の吐出口を穿つ吐水管を接続するとともに該槽の外部にエアーコンプレッサーの機能を保護するための対策を講じた蓋付きの収納ボックスにエアーコンプレッサー設置し、エアーコンプレッサーより供給される圧縮空気を送り出す、保温対策をした保護管内を通るエアーホースを該槽内の底部に適当なクリアランスをもって配置される長手方向に沿って上下左右に設ける吐出口を有する圧縮空気吐水管に接続し、前記保護管内に水及び圧縮空気の逆流を防止する逆流防止弁を設け、前記槽内の水位が地下水及び融雪水により一定水位より高くなった場合に排水溝にオバーフローさせるための排水管と排水ポンプを前記槽内に配備し、前記吸上げポンプの電源を制御するタイマーと前記エアーコンプレッサーの圧縮空気吐出時間を調整するための電源を制御するタイマーを前記槽外部に設けて成ることを特徴とする地下水利用地下埋設型融雪槽。
【考案の詳細な説明】
【技術分野】
【０００１】  本考案は地下埋設型融雪装置に係わり、該融雪槽内の水中にエアーコンプレッサーで圧縮した空気を吐出し、地下水が供給不足の水涸れ状態にあっても融雪効率が向上できる構成に関するものである。
【背景技術】
【０００２】  積雪量の多い北海道や雪国地方では屋根からの落雪、家屋周りの雪、出入り口の雪などの処理は雪投げ場のない場合、付近の歩道や車道沿いに運び出されることが多く、これらを解決するため種々の融雪方法が公知されているが、いずれもその構造が複雑で、一般家庭で使用する場合構造の複雑化に伴う装置のコスト高、電気料や燃料費の装置稼働に伴う経費面、メンテナンスの面などで負担が多く、一方融雪コストが安い地下水だけを利用する地下埋設型融雪装置にあっては地下水の量によってその融雪効率が大きく左右され、厳寒期に発生する極端に地下水量が少ない水涸れ状態で地下水だけを利用する従来公知の融雪装置では融雪効率の最悪化、若しくは融雪不能となるがその問題を解決したものはない。
本考案は従来公知の地下埋設型融雪装置の構造が複雑なことに伴う装置のコスト高、融雪費用のコスト高、メンテナンスの掛かりましと、地下水だけを利用する地下埋設型融雪装置において極端に地下水量が少ない水涸れ状態の場合の従来公知の地下埋設型融雪装置の問題を解消するため、該槽外にエアーコンプレッサーの機能を保護するための対策を講じた蓋付きの収納ボックスにエアーコンプレッサー設置し、エアーコンプレッサーで圧縮した空気は、保温対策をした保護管内をエアーホースにより、該槽床版と適当なクリアランスをもって底部中央に備え付けられた圧縮空気吐出管に接続され、保護管内に水と圧縮空気が逆流することを防ぐ逆流防止弁を備えた該圧縮空気吐出管から長手方向沿て上下左右に設けた数個の吐出孔より該槽の水中の雪もしくは雪塊に圧縮空気を吐出し、これにより水中に激しい対流、撹拌、水面の上下運動などを生じさせ、雪や雪塊の溶解を促進して短時間に効率のよい融雪を行うことができる構造とした。
また、前記槽内の水位が地下水及び融雪水により一定水位より高くなった場合に排水溝にオバーフローさせるための排水管と点検、保守をするための排水ポンプを前記槽内に配備し、前記吸上げポンプの電源を制御するタイマーと前記エアーコンプレッサーの圧縮空気吐出時間を調整するための電源を制御するタイマーを前記槽外部に設けた。
【特許文献】  実開平３−８９７２５号公報
【特許文献】  実開平２−１４８０２８号
【特許文献】  実開平６−１３７９９
【考案の開示】
【考案が解決しょうとする課題】
【０００３】  積雪量の多い北海道や雪国地方では屋根からの落雪、家屋周りの雪、出入り口の雪などの処理は雪投げ場のない場合付近の歩道や車道沿いに運び出され、雪極端に歩道や車道を狭くし、その機能を著しく阻害する場合があり，特に歩道が歩きずらいために車道を歩いて人身事故に遭う危険性が極めて大であり、これら従来の問題点を解決することが課題である。
【０００４】  そこで本考案はこのような実情から雪国において地下水量が十分に得られない場合であっても槽内に一定量の水があれば効率的でかつ経済的な融雪対策として有効な地下水利用地下埋設型融雪槽を提供すことを目的とする。
【課題を解決するための手段】
【０００５】  地中に埋設される有底の槽の上縁部でヒンジ結合して、略垂直状態まで開閉可能な蓋と着脱自在の転落防止の鉄筋格子枠を備え、該槽版を削孔して地下水汲上げ管を打設し、該地下水汲上げ管に接続する吸上げポンプを槽内に設置して該吸上げポンプの吐出口から地下水供給管を立設し、該地下水供給管の先端部に該槽内の上方部に位置する長手方向に複数の吐出口を穿つ吐水管を接続する。
【０００６】  該槽外にエアーコンプレッサーの機能を保護するための対策を講じた蓋付きの収納ボックスにエアーコンプレッサー設置し、エアーコンプレッサーで圧縮した空気は、保温対策をした保護管内をエアーホースにより該槽床版と適当なクリアランスをもって底部中央に備え付けられた圧縮空気吐出管に接続し、保護管内に水と圧縮空気が逆流することを防ぐ逆流防止弁を備えた該圧縮空気吐出管から長手方向沿て上下左右に設けた数個の吐出孔より該槽の水中の雪もしくは雪塊に圧縮空気を吐出し、これにより水中に激しい対流、撹拌、水面の上下運動などを生じさせ、雪や雪塊の溶解を促進して短時間に効率のよい融雪を行うことができる構造とした。
【０００７】  また、前記槽内の水位が地下水及び融雪水により一定水位より高くなった場合に排水溝にオバーフローさせるための排水管と点検、保守をするための排水ポンプを前記槽内に配備し、前記吸上げポンプの電源を制御するタイマーと前記エアーコンプレッサーの圧縮空気吐出時間を調整するための電源を制御するタイマーを前記槽外部に設ける。
【０００８】  既設の地下水を利用して融雪する地下埋設型融雪装置で地下水量が十分に得られない場合であっても槽内に一定量の水があれば効率的でかつ経済的な地下埋設型融雪装置に改良するために該融雪槽外にエアーコンプレッサーの機能を保護するための対策を講じた蓋付きの収納ボックスを増設してエアーコンプレッサー設置し、エアーコンプレッサーで圧縮した空気は、保温対策をした保護管内をエアーホースにより該槽床版と適当なクリアランスをもって底部中央に備え付けられた圧縮空気吐出管に接続し保護管内に水と圧縮空気が逆流することを防ぐ逆流防止弁を備えた該圧縮空気吐出管から長手方向沿て上下左右に設けた数個の吐出孔より該槽の水中の雪もしくは雪塊に圧縮空気を吐出し、これにより水中に激しい対流、撹拌水面の上下運動などを生じさせ、雪や雪塊の溶解を促進して、短時間に効率のよい融雪を行うことができる構造とした。
【考案の効果】
【０００９】  地下水利用の融雪装置は地下水が多量に汲上げられる場合には汲上げた地下水を融槽内上側の吐水管から雪や雪塊に吐出することで、高い融雪効果を得られるが、地下水が供給不足の水涸れ状態にあって地下水量が十分に得られない場合には融雪時間がかかり、また融雪効率は極端に悪くなるが、地下水だけを利用する地下埋設型融雪装置において、極端に地下水量が少ない水涸れ状態の場合、従来公知の融雪方法では解決出来なかった問題を解消するため、該槽外にエアーコンプレッサーの機能を保護するための対策を講じた蓋付きの収納ボックスにエアーコンプレッサーを設置し、エアーコンプレッサーで圧縮した空気は、保温対策をした保護管内をエアーホースにより該槽床版と適当なクリアランスをもって底部中央に備え付けられた圧縮空気吐出管に接続し、保護管内に水と圧縮空気が逆流することを防ぐ逆流防止弁を備えた該圧縮空気吐出管から長手方向沿て上下左右に設けた数個の吐出孔より該槽の水中の雪もしくは雪塊に圧縮空気を吐出し、これにより水中に激しい対流、撹拌、水面の上下運動などを生じさせ、雪や雪塊の溶解を促進して短時間に効率のよい融雪を行うことができる構造とした。
また、前記槽内の水位が地下水及び融雪水により一定水位より高くなった場合に排水溝にオバーフローさせるための排水管と点検、保守をするための排水ポンプを前記槽内に配備し、前記吸上げポンプの電源を制御するタイマーと前記エアーコンプレッサーの圧縮空気吐出時間を調整するための電源を制御するタイマーを前記槽外部に設けた。
【考案を実施するための最良の形態】
【００１０】  以下、添付図面に基づき本考案の詳細につて説明する。
図１は本考案の実施形態における融雪装置の設置状態の一例を示すもので、１は地下に埋設した有底の槽、２は脱着自在な転落防止用の鉄筋格子枠、３は槽の上部にヒンジを介して結合した略垂直状態まで開閉可能な蓋である。【００１１】  該槽版を削孔して地下水汲上げ管４を打設し、該地下水汲上げ管に接続する上げポンプ５を槽内に設置して該吸上げポンプの吐出口から地下水供給管６を立設し、該地下水供給管の先端部に該槽内の上方部に位置する長手方向に複数の吐出口を穿つ吐水管６Ａに接続する。
また融雪槽内へ地下水の吐出を調整供給するため、汲上げポンプの電源を制御するタイマースイッチ１５を該融雪槽外に備えている。【００１２】  該融雪槽内の水位が地下水および融雪水により一定水位以上になると該融雪槽内の水をオーバーフロー排水口から排水溝１０に流下させるオーバーフロー排水管９と、点検および保守をするための水中に備えた排水ポンプ７と排水管８が設置されており、排水ポンプへの電源スイッチ１７は手動で制御する。【００１３】  該融雪槽外に圧縮空気の吐出時間を調整するために電源を制御するタイマースイッチ１６を設け、エアーコンプレッサーの機能を保護するための対策を講じた蓋付きの収納ボックスにエアーコンプレッサー１１を設置し、エアーコンプッサーで圧縮した空気は、保温対策をした保護管１２内をエアーホース１３により、該槽床版と適当なクリアランスをもって底部中央に備え付けられた圧縮空気吐出管１４に接続し、保護管内に水と圧縮空気が逆流することを防ぐ逆流防止弁１３Ａを備えた該圧縮空気吐出管から、長手方向沿て上下左右に設けた数個の吐出孔のたとえば１４Ａから１４Ｆより該槽の水中の雪もしくは雪塊に圧縮空気を吐出する。【００１４】  図２は融雪槽の上部に蓋３を有する既設地下水利用の地下埋設型融雪装置で、槽１の外にエアーコンプレッサーの機能を保護するための対策を講じた蓋付きの収納ボックスにエアーコンプレッサー１１増設し、エアーコンプッサーで圧縮した空気は、保温対策をした保護管１２内をエアーホース１３により、該槽床版と適当なクリアランスをもって底部中央に備え付けられた圧縮空気吐出管１４に接続し、保護管内に水と圧縮空気が逆流することを防ぐ逆流防止弁１３Ａを備えた該圧縮空気吐出管から長手方向沿て上下左右に設けた数個の吐出孔のたとえば、１４Ａから１４Ｆより該槽の水中の雪もしくは雪塊に圧縮空気を吐出する。
圧縮空気の吐出時間を調整するために電源を制御するタイマースイッチ１６を該融雪槽外に備えている【００１５】  図３は圧縮空気吐出管１４で、エアーコンプッサーで圧縮た空気は、保温対策をした保護管１２内をエアーホース１３により、該槽床版１４Ｉと適当なクリアランスをもって底部中央に備え付けられた圧縮空気吐出管１４に接続し、保護管内に水と圧縮空気が逆流することを防ぐ逆流防止弁１３Ａを備えた該圧縮空気吐出管から長手方向沿て上下左右に設けた数個の吐出孔のたとえば１４Ａから１４Ｆより該槽の水中の雪もしくは雪塊に圧縮空気を吐出する。
１４Ｇはキャツプ、１４Ｈはエルボである。
【図面の簡単な説明】
【００１６】
【図１】本考案の実施形態における地下埋設型融雪装置の全体構成図である。
【図２】本考案の実施形態における既設地下埋設型融雪装置にエアーコンプレッサーを増設する全体構成図である。
【図３】圧縮空気吐出管の拡大断面図である。
【符号の説明】
１    槽
２    転落防止用の鉄筋格子枠
３    蓋
４    地下水汲上げ管
５    地下水汲上げポンプ
６    地下水供給管
６Ａ    吐水管
７    排水ポンプ
８    排水管
９    オーバーフロー排水管
１０  排水溝
１１  蓋付きの収納ボックスとエアーコンプレッサー
１３  エアーホース
１３Ａ  逆流防止弁
１４  圧縮空気吐出管
１４Ａ  上側圧縮空気吐出孔
１４Ｂ  上側圧縮空気吐出孔
１４Ｃ  左右側圧縮空気吐出孔
１４Ｄ  左右側圧縮空気吐出孔
１４Ｅ  下側圧縮空気吐出孔
１４Ｆ  下側圧縮空気吐出孔
１４Ｇ  キャツプ
１４Ｈ  エルボ
１４Ｉ  槽底版
１５  汲上げポンプ電源制御タイマー
１６  エアーコンプレッサー電源制御タイマー
１７  排水ポンプ電源制御手動スイッチ
【図１】
0003123081.tif 000003
【図２】
0003123081.tif 000004
【図３】
0003123081.tif 000005